【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
土留め用の支持梁部材の長手方向に介在したネジジャッキの回転軸の四方に突設した操作棒に、長さの相違する短中長の三本の連結操作腕体をジャッキ緩回転方向へ順に装着し、支持梁部材に固定して先部を操作棒回動面上における長連結操作腕体の装着時外端と同心円となる位置近傍まで張り出させた片持ち梁体の先端と、短連結操作腕体の先端との間を、線部材及び前記線部材の巻取手道具で、線部材を長中の連結操作棒の先端に摺動自在に当接支持して連結し、巻取手道具の巻取りでジャッキ操作棒を緩回転方向に回転させてジャッキを緩めることを特徴とする土留支持ジャッキの取外方法。
【請求項２】
土留め用の支持梁部材の長手方向に介在したネジジャッキの回転軸の四方に突設した操作棒を挿着可能とした筒状の長さの相違する三本連結操作腕体と、支持梁部材に取り付けて所定位置まで張り出させる片持ち梁体と、チェーンの巻き取り機構を備えた本体に、本体係止鉤を付設すると共に、チェーン先端にも係止鉤を設けた巻取具とを備え、短連結操作腕体の先端には係止鉤の掛け止め部を設け、中長両連結操作腕体の先端にチェーンの摺動受け部を設けてなることを特徴とする土留支持ジャッキの取外器具。
【請求項３】
長連結操作腕体の基部側を、適宜角度で折曲してなる請求項２記載の土留支持ジャッキの取外器具。
【手続補正２】
【補正対象書類名】明細書
【補正対象項目名】全文
【補正方法】変更
【補正の内容】
【発明の詳細な説明】
【発明の名称】土留支持ジャッキの取外方法及び取外器具
【技術分野】
【０００１】
本発明は、土留め支持ジャッキの取外方法及び同方法に使用する取外器具に関するものである。
【背景技術】
【０００２】
土木工事において、掘削箇所の壁面が崩壊して、掘削箇所において所定の作業の実施に支障が生じないように、掘削箇所の壁面に土留用の矢板を設けている。またこの矢板が土圧によって倒壊しないように、矢板に添う横梁部材と対面する横梁部材間に支持梁部材を架設している。そして支持梁部材には、矢板を土壁面側に押圧するようにジャッキを介設している（特許文献１）。
【０００３】
特に図４に示すように、矢板Ａに添わせる横梁部材Ｂに架設している支持梁部材（Ｈ鋼）Ｃの中間にジャッキ１を介在させている場合、このジャッキ１は通常はネジジャッキが採用されており、回転軸１１の外周に操作棒１２を設け、操作棒１２の回動操作でジャッキ１を伸縮させているものである。
【０００４】
【特許文献１】特開平８−１０９６３４号公報図２。
【発明の開示】
【発明が解決しようとする課題】
【０００５】
ところで、前記の土木工事において工事が終了すると、ジャッキ１を緩めて外し、その後支持梁部材Ｃ、横梁部材Ｂ、矢板Ａと順次取り除いていくものである。
【０００６】
しかし前記のジャッキ１の取り外しに際して、ジャッキ１の露出した回転軸１１に土砂が付着したり、また工事期間が長いと回転軸部分が錆びてしまい、通常の回動操作ではジャッキ１を緩めることができなくなっていた。
【０００７】
このためジャッキ１の取外作業は、ジャッキを緩めることなく、支持梁部材間の押圧力を有している状態のまま、クレーン等で強引に取り外していた。この取外手段ではジャッキの破損が生じてしまう問題がある。
【０００８】
そこで本発明は、新規な土留支持ジャッキの取外し方法及び取外し器具を提案したものである。
【課題を解決するための手段】
【０００９】
本発明に係る土留支持ジャッキの取外方法は、土留め用の支持梁部材の長手方向に介在したネジジャッキの回転軸の四方に突設した操作棒に、長さの相違する短中長の三本の連結操作腕体をジャッキ緩回転方向へ順に装着し、支持梁部材に固定して先部を操作棒回動面上における長連結操作腕体の装着時外端と同心円となる位置近傍まで張り出させた片持ち梁体の先端と、短連結操作腕体の先端との間を、線部材及び前記線部材の巻取手道具で、線部材を長中の連結操作腕体の先端に摺動自在に当接支持して連結し、巻取手道具の巻取りでジャッキ操作棒を緩回転方向に回転させてジャッキを緩めることを特徴とするものである。
【００１０】
また本発明に係る土留支持ジャッキの取外し器具は、土留め用の支持梁部材の長手方向に介在したネジジャッキの回転軸の四方に突設した操作棒を挿着可能とした筒状の長さの相違する三本連結操作腕体と、支持梁部材に取り付けて所定位置まで張り出させる片持ち梁体と、チェーンの巻き取り機構を備えた本体に、本体係止鉤を付設すると共に、チェーン先端にも係止鉤を設けた巻取具とを備え、短連結操作腕体の先端には係止鉤の掛け止め部を設け、中長両連結操作腕体の先端にチェーンの摺動受け部を設けてなることを特徴とし、更に長連結操作腕体の基部側を、適宜角度で折曲してなるものである。
【００１１】
而して片持ち梁体の基部を支持梁部材に固定し、片持ち梁体に近い箇所から順次長連結操作腕体、中連結操作腕体、短連結操作腕体をジャッキの操作棒に装着し、片持ち梁体に本体を係止した巻取具のチェーンを、長連結操作腕体と中連結操作腕体の先端の摺動受け部に当接させ、更に先端係止鉤を短連結操作腕体の掛け止め部に引っ掛け、レバーブロックのチェーンの巻取り操作を行うと、短連結操作腕体は直接緩み方向への回転モーメントが与えられ、中長連結操作腕体は、チェーン当接箇所におけるチェーンの張り方向の相違によって、緩み方向に回転モーメントが与えられることになり、ジャッキ回転軸を強い力で回転させ、ジャッキを緩めることができるものである。
【００１２】
また特に長連結操作腕体の基部側に折曲部を設けたことによって、長連結操作腕体が他の支持梁体の存在によってジャッキ回転ができない状況下において、ジャッキ操作棒への挿着方向を変えることで対応できるものである。
【発明の効果】
【００１３】
本発明は上記構成であり、通常の手動回転操作では緩めることのできなかった土留支持ジャッキを、巻取具の操作で簡単に緩め回転を行うことができたものである。
【発明を実施するための最良の形態】
【００１４】
次に本発明の実施の形態について説明する。本発明の対象となるジャッキ１は、図４に例示するとおり矢板Ａに添わせる横梁部材Ｂを押圧支持している支持梁部材（Ｈ鋼）Ｃの中間に介在させているもので、このジャッキ１は、両端に押圧板１３と螺孔部１４を備え回転軸１１で連繋されており、回転軸１１の外周に操作棒１２を突設しているものである。
【００１５】
前記の土留支持ジャッキ１の取外し器具は、短中長の長さの相違する三本の連結操作腕体２，３，４と、片持ち梁体５と、巻取具６で構成される。
【００１６】
連結操作腕体２，３，４は、管体（筒状体）で形成され、ジャッキ１の操作棒１２に外挿可能にし、装着時に操作棒１２を押圧する固定ボルト２１，３１，４１を設けてなる。
【００１７】
また特に短連結操作腕体２の先端には、後述する巻取具６の先端係止鉤６１の掛け止め部２２を設け、中長両連結操作腕体３，４の先端には、巻取具６のチェーン６２の摺動受け部３２，４２を設けて、更に長連結操作腕体４の基部側は、１０〜２０度の角度で折曲してなるものである。
【００１８】
片持ち梁体５は、基部５１に支持梁部材Ｃに固定するナット部５２を設け、中間部５３は傾斜部とし、先部５４には、係止透孔５５を設けたもので、ナット部５２の形成位置や中間部の傾斜形状、係止透孔５５の形成位置は、片持ち梁体５を支持梁部材Ｃに固定した際に、前記係止透孔５５の位置が、ジャッキ１の操作棒１２の回動平面上であって、且つ長連結操作腕体４を操作棒１２に装着した際の外端と同心円となる近傍となるようにしたものである。
【００１９】
巻取具６は、レバーブロック（登録商標）と称されている周知の巻取器具で、先端に係止鉤６１を設けたチェーン６２の巻取りを行う本体６３に本体係止鉤６４を付設したものである。
【００２０】
而して土留支持ジャッキ１を取外すには、片持ち梁体５を支持梁部材Ｃに固定し、片持ち梁体５の先部を所定の箇所に配置する。次に前記片持ち梁体５の先部５４に近い箇所の操作棒１２から順次、長連結操作腕体４、中連結操作腕体３、短連結操作腕体２を装着する。
【００２１】
更に片持ち梁体５の係止透孔５５に、巻取具６の本体６３に付設した本体係止鉤６４を引っ掛け、チェーン６２を伸ばし、長連結操作腕体４の先端の摺動受け部４２から中連結操作腕体３の先端の摺動受け部３２に当接させて巻回し、先端係止鉤６１を短連結操作腕体２の掛け止め部２２に引っ掛ける。
【００２２】
そして巻取具６の本体６３の操作レバーによってチェーン６２の巻取り操作を行うと、チェーン６２の引っぱり張力で、短連結操作腕体２は直接緩み方向への回転モーメントが与えられる。同時に中連結操作腕体３及び長連結操作腕体４は、チェーン当接箇所におけるチェーンの張り方向が相違し、これによって緩み方向に回転モーメントが与えられることになり、ジャッキ１の回転軸１１は強い力で回転させられ、ジャッキ１が緩められるものである。
【００２３】
尚前記実施形態は、巻取具６として既存工具であるレバーブロック（登録商標）を採用したが、本発明方法は、特にこの器具に限定しているものではないので、レバーブロック（登録商標）以外の巻取器具を使用するようにしても良い。
【図面の簡単な説明】
【００２４】
【図１】本発明器具の実施形態の片持ち梁体の正面図。
【図２】同短連結操作腕体の一部切断正面図。
【図３】同長連結操作腕体で（イ）は一部切断正面図、（ロ）は先端部の一部側面図。
【図４】本発明対象の説明図。
【図５】同片持ち梁体の装着状態の平面図。
【図６】同ジャッキの回動操作の説明図。
【符号の説明】
【００２５】
１        ジャッキ
１１      回転軸
１２      操作棒
１３      押圧板
１４      螺孔部
２        短連結操作腕体
２１      固定ボルト
２２      掛け止め部
３        中連結操作腕体
３１      固定ボルト
３２      摺動受け部
４        長連結操作腕体
４１      固定ボルト
４２      摺動受け部
５        片持ち梁体
５１      基部
５２      ナット部
５３      中間部
５４      先部
５５      係止透孔
６        巻取具
６１      先端係止鉤
６２      チェーン
６３      本体
６４      本体係止鉤